(57)【要約】
【課題】軽量であり、小物の取り出しが容易で、体型に合わせて背負ベルトの締着位置の調整ができ、且つ収納に場所を取らない背負子の提供
【解決手段】この考案の背負子は、一対のアルミ製の支持部材１，１からなる背負子フレ−ムＡの下部に荷物積載台２を、背負面ａ側に回動可能に取付け、支持部材１，１の上端部に、下端部に軽量荷物積載台３を、背負面ａの反対側に回動可能に取付けたアルミ製の逆コ字状の枠体４の下端部を、背負面ａの側に回動可能に取付け、背負面ａよりも若干上方に位置する支持部材１，１に背負ベルト５を締着するための軸棒６を上下移動可能に取付けている。
【選択図】 図１
0003100175.tif 000002
【実用新案登録請求の範囲】
【請求項１】
下部が背負面（ａ）の反対側に湾曲（ｂ）した一対のアルミ製の支持部材（１，１）からなる背負子フレ−ム（Ａ）の前記湾曲部（ｂ）の上方に位置する前記支持部材（１，１）に、荷物積載台（２）を前記背負面（ａ）側に回動可能に取付け、前記背負子フレ−ム（Ａ）の支持部材（１，１）の上端部に、下端部に軽量荷物積載台（３）を前記背負面（ａ）の反対側に回動可能に取付けたアルミ製の逆コ字状の枠体（４）の下端部を、前記背負面（ａ）の側に回動可能に取付け、前記背負面（ａ）よりも若干上方に位置する前記背負子フレ−ム（Ａ）の支持部材（１，１）に背負ベルト（５）を締着するための軸棒（６）を上下移動可能に取付けていることを特徴とする背負子
【考案の詳細な説明】
【技術分野】
【０００１】
この考案は背負子に係り、詳しく背負子の構造に関するものである。
【背景技術】
【０００２】
従来の背負子は、樫の木等の固い木材又は金属部材等で構成されており、荷物積載台は背負子フレ−ムに固定され、背負ベルトは背負子フレ−ムの定位置に固定された構成であったので、次のような問題点があった。
【０００３】
（１）背負子自体の重量が重い。
（２）全ての荷物を荷物積載台に載せているので、運搬中に、例えば、水筒、合羽、草刈り鎌等の小物を取り出したい場合には、その都度、止まり、背負子を下ろして、対応しなければならない。
（３）体型に合うように、背負ベルトの位置を調整することができない。
（４）嵩張り、収納に場所をとる。
【０００４】
【特許文献１】特開昭６２−８５１２８号公報
【考案の開示】
【考案が解決しようとする課題】
【０００５】
この考案は背景技術で記述した問題点を除去するためになされたもので、軽量であり、小物の取り出しが容易で、体型に合わせて背負ベルトの締着位置の調整ができ、且つ収納に場所を取らない背負子の提供を目的とするものである。
【課題を解決するための手段】
【０００６】
この考案の背負子は、下部が背負面の反対側に湾曲した一対のアルミ製の支持部材からなる背負子フレ−ムの前記湾曲部の上方に位置する前記支持部材に、荷物積載台を前記背負面側に回動可能に取付け、前記背負子フレ−ムの支持部材の上端部に、下端部に軽量荷物積載台を前記背負面の反対側に回動可能に取付けたアルミ製の逆コ字状の枠体の下端部を、前記背負面の側に回動可能に取付け、前記背負面よりも若干上方に位置する前記背負子フレ−ムの支持部材に背負ベルトを締着するための軸棒を上下移動可能に取付けていることを特徴とするものである。
【考案の効果】
【０００７】
この考案は上述のように構成されているので、次のような効果を奏する。
（１）構成部材がアルミ製であるので、軽量である。
（２）軽量荷物積載台を上部に設置しているので、運搬中に、例えば、水筒、合羽、草刈り鎌等の小物を取り出すことができる。
（３）背負ベルトを締着するための軸棒を上下移動可能に取付けていりので、体型に合わせて、背負ベルトの位置を調整することができる。
（４）荷物積載台や軽量荷物積載台は折り畳みができるので、嵩張らなく、収納時に場所をとらない。
【考案を実施するための最良の形態】
【０００８】
軽量であり、小物の取り出しも容易で、体型に合わせて背負ベルトの締着位置の調整ができ、且つ嵩張らなく、収納時に場所を取らないという目的を、構成部材をアルミとし、軽量荷物積載台を設置し、背負ベルトを締着するための軸棒を上下移動可能にし、かつ荷物積載台及び軽量荷物積載台を折り畳み構造にすることにより実現した。
【実施例】
【０００９】
この考案の実施の一例を図面を参照しながら説明する。背負子フレ−ムＡは、図１に示すように、下部が背負面ａ（図１において点線で示している。）の反対側に湾曲ｂした一対のアルミ製の支持部材１，１から構成されている。
【００１０】
アルミ製の支持部材１，１は、板状であっても、パイプ状であってもよい。湾曲ｂは、背負子を背負った際に、支持部材１，１の下端部が背負った人に当たらないようするためであるので、この目的が達成できればよく、特に湾曲度合については限定しない。
【００１１】
荷物積載台２は、図１に示すように、湾曲部ｂの上方に位置する支持部材１，１に、図１において矢印ｃで示すように、背負面ａ側に回動可能に取付けている。
【００１２】
荷物積載台２は、例えば、アルミ製の中空枠体の、中空部に帆布、プラスチックシ−トなどを張った構成が一般的であるが、この構成に限定されるものではない。
【００１３】
荷物積載台２は、図１に示すように、アルミ製の補強部材７，７によって、矢印ｃの反対方向に回動しないようにしている。荷物積載台２を矢印ｃの方向に折り畳むときには、補強部材７，７の荷物積載台２側の固定は解除される。
【００１４】
背負子フレ−ムＡの支持部材１，１の上端部に、図１に示すように、下端部に軽量荷物積載台３を、図１において矢印ｅで示すように、背負面ａの反対側に回動可能に取付けたアルミ製の逆コ字状の枠体４の下端部を、図１において矢印ｄで示すように、背負面ａの側に回動可能に取付けている。
【００１５】
軽量荷物積載台３は、例えば、アルミ製の中空枠体の、中空部に、針金やプラスチック紐などを間隔を置いて張った構成が一般的であるが、この構成に限定されるものではない。
【００１６】
軽量荷物積載台３は、図１に示すように、アルミ製の補強部材７’，７’によって、矢印ｅの反対方向に回動しないようにしている。軽量荷物積載台３を矢印ｅ方向に折り畳むときには、補強部材７’，７’の軽量荷物積載台３側の固定は解除される。
【００１７】
図１に示すように、背負面ａよりも若干上方に位置する背負子フレ−ムＡの支持部材１，１に、背負ベルト５を締着するためのボルト等からなる軸棒６を、支持部材１，１に適宜間隔をおいて穿設した複数個の孔８のうちから、背負う人の体型に合った孔８を選択して、装着できるようにしている。
【００１８】
したがって、背負ベルト５の締着位置を、背負う人の体型に合わせて、上下に移動することができるようになっている。通常、孔８の間隔は、５ｃｍ程度で、上中下の３個の孔８を設置しているが、孔８の間隔及び個数については、特に制限はない。
【００１９】
実施に際しては、荷物積載台２及び軽量荷物積載台３を、背負子フレ−ムＡのアルミ製の支持部材１，１に、図１に示すように、突設し、補強部材７，７，７’，７’を取付けて固定した状態で使用する。
【００２０】
次に、収納する場合には、図２に示すように、荷物積載台２及び軽量荷物積載台３を、背負子フレ−ムＡのアルミ製の支持部材１，１に折り畳んで、嵩張らないような状態で収納・保管する。
【００２１】
なお、軽量荷物積載台３に載せる小物がない場合には、軽量荷物積載台３を折り畳んで状態で使用してもよい。
【００２２】
背負ベルト５としては、肩に掛かる負担を吸収できるような、例えば、ジュ−ト紐を草履織りにした扁平状の構造のものなどが好ましい。
【産業上の利用可能性】
【００２３】
軽量であり、草刈り鎌等の小物を載せる台を備えているので、車輌での運搬ができない山間部の棚田等への肥料等の運搬作業等の用途にも利用できる。
【図面の簡単な説明】
【００２４】
【図１】考案の一実施例を示す概略斜視図
【図２】図１において、荷物積載台や軽量荷物積載台を折り畳んだ状態を示す側面図
【符号の説明】
【００２５】
１ アルミ製の支持部材
２ 荷物積載台
３ 軽量荷物積載台
４ 逆コ字状の枠体
５ 背負ベルト
６ 背負ベルトを締着する軸棒
７，７’補強部材
８ 孔
ａ 背負面
ｂ 湾曲
ｃ，ｄ，ｅ 矢印
【図１】
0003100175.tif 000003
【図２】
0003100175.tif 000004